(57)【要約】  組み立ての際に部品の脱落などを防止して組み立て上の作業性を良好に保ちつつ、機器本体に対して可動部を移動させる際に振動やガタによる異音を生じることを防止できる電子機器を提供する。  多機能電子機器１は機器本体２と機器本体２に対して移動自在に設けられた操作表示ユニット３と操作表示ユニット３を機器本体２に対して移動させる駆動機構４を備えている。駆動機構４が操作表示ユニット３を支持しかつ駆動源により移動されることで操作表示ユニット３を機器本体２に対して移動させる可動アーム２１と弾性を有する合成樹脂で構成されかつ操作表示ユニット３の下端部３ｂと可動アーム２１との間に弾性変形した状態で設けられた弾性部材２４を備えている。弾性部材２４の内径は下端部３ｂから凸の円柱状凸部に形成されたシャフト２２の外径よりも小さく形成されている。
2011101971.tif 000002
【特許請求の範囲】
【請求項１】
機器本体と、
前記機器本体に対して移動自在に設けられた可動部と、
前記可動部を互いの間に挟む状態で支持しかつ駆動源により移動されることで前記可動部を前記機器本体に対して移動させる複数のフレームと、前記可動部の前記フレームに支持される部分と前記フレームとの間に弾性変形した状態で設けられた弾性部材とを有して、前記可動部を前記機器本体に対して移動させる駆動部と、を備えた電子機器において、
前記可動部の前記フレームが取り付けられる被取付部と前記フレームの前記可動部を支持する支持部とのうちの一方が円柱状凸部に形成され、かつ
前記弾性部材が、弾性を有する合成樹脂で構成されかつ前記円柱状凸部の外径よりも小さい内径を備えた円筒状に形成されているとともに内側に前記円柱状凸部を挿入した状態で取り付けられていることを特徴とする電子機器。
【請求項２】
前記弾性部材は、前記可動部の前記フレームに支持される部分と前記フレームとの間の間隔よりも長く形成されていることを特徴とする請求項１に記載の電子機器。
【請求項３】
前記フレームは、前記可動部を挟むように一対設けられ、
前記弾性部材は、前記一対のフレームのうち片側のフレームと前記可動部との間に設けられていることを特徴とする請求項１または請求項２に記載の電子機器。
【請求項４】
前記弾性部材が、シリコーンゴムで構成されていることを特徴とする請求項１から請求項３のいずれか一項に記載の電子機器。
【発明の詳細な説明】
【技術分野】
【０００１】
本発明は、例えば、移動体としての自動車などに装着される機器本体に対し移動自在な可動部としてのフロントパネルなどを備えた電子機器に関する。
【背景技術】
【０００２】
移動体としての自動車のインストルメントパネル（以下インパネと呼ぶ）には、電子機器としてのカーステレオ（例えば、特許文献１参照。）が取り付けられる。カーステレオは、前記インパネに取り付けられる機器本体と液晶ディスプレイ等の表示部や各種操作ボタンを有する可動部としてのフロントパネルとを備えている。【０００３】
機器本体は、ＣＤプレーヤ、ＭＤ（Mini disc）プレーヤやナビゲーション装置を構成するＤＶＤ−ＲＯＭプレーヤやＨＤＤ（Hard Disc Drive）などを内蔵している。フロントパネルは、液晶ディスプレイなどに前記ナビゲーション装置における地図情報や、ＣＤプレーヤ及びＭＤプレーヤの再生状況を示す情報などを表示する。また、フロントパネルは、前記ナビゲーション装置、ＣＤプレーヤ、ＭＤプレーヤの各種機能の動作指令を行う際に操作されるタッチスイッチや押圧ボタンが設けられている。【０００４】
前述したカーステレオは、インパネに装着する際にかかる設置スペースを抑制するために、機器本体の使用者に相対する一つの面（以下前面と称する）に前記ＣＤ、ＭＤ、ＤＶＤ−ＲＯＭを機器本体内に出し入れ自在とする挿入口を設けている。さらに、カーステレオは、前記前面を覆う第１の位置と前記前面の少なくとも一部を開放する第２の位置とに亘って、フロントパネルをスライド移動可能とする駆動部を備えている。【０００５】
前述した特許文献１に示されたカーステレオの駆動部１００は、例えば、図１に示すように、前記フロントパネル１０１の下端部に設けられたシャフト１０２と、前記機器本体に設けられた駆動源としてのモータにより前記前面から出し入れされるとともに前記シャフト１０２を先端部に回転自在に取り付けたフレーム１０３とを備えている。【０００６】
シャフト１０２は、軸芯が機器本体の幅方向と平行な円柱状に形成され、かつフロントパネル１０１の下端部から前記幅方向に沿って突出している。前記フレーム１０３は、先端部が前記シャフト１０２の端面に重ねられかつ当該先端部を貫通したねじ１０６が前記シャフト１０２の端面にねじ込まれることで、前記先端部がシャフト１０２に対して回転自在に取り付けられている。【０００７】
前述した従来の駆動部１００では、スムーズな駆動を実現するために、ねじ１０６の頭とフレーム１０３との間に隙間を設けており、この隙間によりねじ１０６の頭とフレーム１０３とががたついて、異音を生じてしまう。【０００８】
そこで、この異音の発生を防止するために、例えば、図２に示すように、座金１０４及びばね座金１０５を設けることがある。この図２に示された駆動部１００の座金１０４及びばね座金１０５は、前記ねじ１０６の頭とフレーム１０３との間に設けられ、勿論、内側にねじ１０６のネジ部を通している。ばね座金１０５は、金属で構成され、かつフレーム１０３をシャフト１０２の端面に向かって押圧して、これらががたつくことを防止している。
【先行技術文献】
【特許文献】
【０００９】
【特許文献１】特開２００３−３１７４５７号公報
【発明の概要】
【発明が解決しようとする課題】
【００１０】
前述した図２に示された従来のカーステレオの駆動部１００では、ねじ１０６による取付けの際に、別部品であるバネ座金１０５、座金１０４も使用するので、部品点数も増加し、組み立てる際にこれらの座金１０４，１０５が脱落しやすく作業性が悪かった。【００１１】
上記した問題点を鑑みてなされた本発明の目的の一例は、組み立ての際に部品の脱落などを防止して組み立て上の作業性を良好に保ちつつ、機器本体に対して可動部を移動させる際に振動やガタによる異音を生じることを防止できる電子機器を提供することにある。
【課題を解決するための手段】
【００１２】
前記課題を解決し目的を達成するために、請求項１に記載の本発明の電子機器は、機器本体と、前記機器本体に対して移動自在に設けられた可動部と、前記可動部を互いの間に挟む状態で支持しかつ駆動源により移動されることで前記可動部を前記機器本体に対して移動させる複数のフレームと、前記可動部の前記フレームに支持される部分と前記フレームとの間に弾性変形した状態で設けられた弾性部材とを有して、前記可動部を前記機器本体に対して移動させる駆動部と、を備えた電子機器において、前記可動部の前記フレームが取り付けられる被取付部と前記フレームの前記可動部を支持する支持部とのうちの一方が円柱状凸部に形成され、かつ前記弾性部材が、弾性を有する合成樹脂で構成されかつ前記円柱状凸部の外径よりも小さい内径を備えた円筒状に形成されているとともに内側に前記円柱状凸部を挿入した状態で取り付けられていることを特徴としている。
【図面の簡単な説明】
【００１３】
【図１】従来の電子機器の駆動部などの構成を示す断面図である。
【図２】従来の電子機器の他の駆動部などの構成を示す正面図である。
【図３】本発明の一実施例にかかる多機能電子機器の外観を示す斜視図である。
【図４】図３に示された多機能電子機器の操作表示ユニットが第３の位置に位置付けられた状態を示す斜視図である。
【図５】図３に示された多機能電子機器の操作表示ユニットが第２の位置に位置付けられた状態を示す斜視図である。
【図６】図３に示された多機能電子機器の駆動機構の要部を分解して示す斜視図である。
【図７】図６に示された駆動機構の要部の正面図である。
【図８】本発明品と比較例の低温特性を示す説明図である。
【発明を実施するための形態】
【００１４】
本実施形態の電子機器は、弾性を有する合成樹脂で構成された弾性部材を可動部のフレームに支持される部分とフレームとの間に弾性変形した状態で設けているので、当該弾性部材の弾性変形による反発力により可動部を付勢することで可動部のフレームに支持される部分とフレームとの間のガタが解消される。こうすることで、本実施形態の電子機器は、機器本体に対して可動部を移動させる際に、振動して異音を生じることを防止することができる。
【００１５】
さらに、被取付部と支持部とのうち一方を円柱状凸部に形成し、当該円柱状凸部の外径よりも内径が小さな円筒状に弾性部材を形成して、当該弾性部材の内側に前述した円柱状凸部を挿入して、取り付けるようにしている。これらは、弾性部材を弾性を有する合成樹脂で構成しているから可能となっている。このために、前述した円柱状凸部に弾性部材を取り付けると、内径が縮小する弾性復元力を生じた状態で当該弾性部材が前述した円柱状凸部に取り付けられるので、組み立て中に前述した円柱状凸部に取り付けた弾性部材が不意に脱落することを防止できる。よって、組み立ての際に部品の脱落などを防止して組み立て上の作業性を良好に保つことができる。
【００１６】
また、本実施形態の電子機器では、可動部のフレームに支持される部分とフレームとの間隔よりも長く形成してもよい。この場合、弾性部材を可動部のフレームに支持される部分とフレームとの間に確実に弾性変形した状態で設けることができる。よって、機器本体に対して可動部を移動させる際に、ガタを解消することで振動して異音を生じることを防止することができる。
【００１７】
また、フレームを一対設け、片側のフレームと可動部との間に弾性部材を設けてもよい。この場合、弾性部材を二つ設ける必要が無いので、部品点数が増加することを防止できる。
【００１８】
さらに、弾性部材をシリコーンゴムで構成してもよい。この場合、温度が変化しても、他の合成樹脂を用いる場合よりも弾性部材が弾性を維持することができる。
【実施例】
【００１９】
本発明の一実施例にかかる電子機器としての多機能電子機器１を図３乃至図８を参照して説明する。図３などに示す多機能電子機器１は、移動体としての自動車のインストルメントパネルに装着される。多機能電子機器１は、図３ないし図５に示すように、機器本体２と、可動部としての操作表示ユニット３と、操作表示ユニット３を後述の前面１０ａに対しスライド移動させる駆動部としての駆動機構４（図６に一部示す）とを備えている。【００２０】
機器本体２は、箱状に形成されたケース１０と、このケース１０内に収容されるＣＤプレーヤ１１等の再生装置とを備えている。ケース１０には、当該ケース１０の図１中手前に位置する機器本体２の一つの面としての前面１０ａの全ての外縁から立設するように一体成形された複数の立設壁１０ｃが設けられている。複数の立設壁１０ｃによって形成された空間領域に操作表示ユニット３をスライド移動自在に収容している。【００２１】
図示例では、ケース１０内には、再生装置としてＣＤプレーヤ１１、ＭＤプレーヤ１２、ナビゲーション装置を構成するＤＶＤ−ＲＯＭプレーヤ１３が収容されている。また、図示してないが、ケース１０は、ラジオ放送を受信するＡＭ／ＦＭチューナ等やテレビ放送波を受信するテレビチューナ等を収容している。これらの再生装置や受信装置は、例えば、操作表示ユニット３に設けられた後述する押しボタン２０等を使用者が押圧することによって動作する。【００２２】
前面１０ａには、図５に示すように、前記ＭＤプレーヤ１２にＭＤを挿入するためのスリット１４ａと、ＣＤプレーヤ１１及びＤＶＤ−ＲＯＭプレーヤ１３にＣＤ及びＤＶＤ―ＲＯＭを挿入する挿入口１４ｂ及び挿入口１４ｃとが設けられている。【００２３】
さらに、空間領域内に収容された操作表示ユニット３の両側に位置する立設壁１０ｃの内面には、ガイド溝１６が、設けられている。即ち、ガイド溝１６は、機器本体２に設けられている。【００２４】
ガイド溝１６は、鉛直方向に延在しており、立設壁１０ｃの内面から凹に形成されている。このガイド溝１６には、操作表示ユニット３の上端部３ａの回転自在に設けられたローラ１７が摺動可能に係合される。即ち、ガイド溝１６には、ローラ１７が侵入する。また、ガイド溝１６内には、後述する第１の位置で図３中の上端部（一端部）にローラ１７が位置し、第２の位置で図５中の下端部（他端部）にローラ１７が位置し、第３の位置で図４中の中央部にローラ１７が位置する。【００２５】
操作表示ユニット３は、筐体１８と、当該筐体１８内に収容されかつ液晶ディスプレイ（ＬＣＤ：Liquid Crystal Display）などからなる画像情報等を表示する表示パネル１９と、を備えている。操作表示ユニット３は、表示パネル１９に、ＤＶＤ−ＲＯＭプレーヤ１３によって再生された地図情報や、テレビチューナが受信したテレビ放送波の映像等を表示する。【００２６】
操作表示ユニット３は、一端部としての下端部３ｂが前面１０ａから突没自在に設けられ、かつ、他端部としての上端部３ａが前面１０ａに沿ってスライド自在にケース１０即ち機器本体２に取り付けられている。なお、下端部３ｂは、可動部のフレームに支持される部分をなしている。【００２７】
また、操作表示ユニット３は、その表面に押しボタン２０を複数設けている。押しボタン２０は、使用者により押圧されることにより操作される。これらの押しボタン２０が操作されることにより、ケース１０の内部に収容された各種のプレーヤ１１，１２，１３等が動作する。【００２８】
また、押しボタン２０が操作されることにより、操作表示ユニット３が図３に示す第１の位置と、図５に示す第２の位置と、これら第１の位置と第２の位置との間の図４に示す第３の位置とに亘って移動される。操作表示ユニット３は、駆動機構４の動作により、ガイド溝１６内をローラ１７が移動することで、第１の位置と第２の位置とに亘って移動される。【００２９】
操作表示ユニット３は、第１の位置と、第３の位置と、第２の位置とに順に移動される。また、操作表示ユニット３は、第２の位置と、第３の位置と、第１の位置とに順に移動される。このとき、操作表示ユニット３の下端部３ｂが、前記前面１０ａから突没するとともに、操作表示ユニット３の上端部３ａが前面１０ａに沿ってスライドする。【００３０】
第１の位置では、操作表示ユニット３は、前面１０ａの全体に平行に重ねられて、当該前面１０ａの全体を覆っている。第１の位置では、図３に示すように、操作表示ユニット３がスリット１４ａと挿入口１４ｂ，１４ｃを覆い隠している。【００３１】
第２の位置では、図５に示すように、前述した前面１０ａに設けられた全てのスリット１４ａ及び挿入口１４ｂ，１４ｃを開放している。即ち、第２の位置では、操作表示ユニット３が前面１０ａを開放している。【００３２】
第３の位置では、図４に示すように、操作表示ユニット３がスリット１４ａを覆い隠しているとともに挿入口１４ｂ，１４ｃを開放している。即ち、第３の位置では、操作表示ユニット３は、前面１０ａの一部を覆っている。【００３３】
例えば、押しボタン２０のうちの選択ボタン（例えば、ＣＤ、ＭＤ等を選択するためのボタン）やＯＰＥＮボタンが押圧操作されると、操作表示ユニット３が駆動機構４によりスライド移動される。すなわち、選択ボタンによりＣＤが選択されると、駆動機構４によって操作表示ユニット３が前述した第３の位置までスライド移動される。【００３４】
また、ＯＰＥＮボタンが押圧操作されることにより、機器本体２のケース１０の前面１０ａに形成されたすべての挿入口（スリット１４ａ、挿入口１４ｂ及び挿入口１４ｃ）が開放される第２の位置までスライド移動される。そして、ＣＤやＭＤ等の所望のディスクがスリット１４ａ及び挿入口１４ｂ，１４ｃから挿入又は排出されると、操作表示ユニット３は、駆動機構４により自動的にケース１０の前面１０ａを覆う第１の位置（すべてのスリット１４ａ及び挿入口１４ｂ，１４ｃを覆い隠す位置）まで移動される。【００３５】
なお、第２の位置または第３の位置などのケース１０の前面１０ａを開放した状態で所望のディスクが挿入されると、操作表示ユニット３は自動的にその前面１０ａを覆う第１の位置に移動される。【００３６】
そして、例えば、使用者が押しボタン２０のうち再生（プレイ）ボタンやサーチボタン等を操作することによりそのディスクの再生や、サーチ動作等が行われる。さらに、第１の位置では、ＭＰＵ８が使用者による押しボタン２０の操作や、ディスクが挿入されたことを認識して、その操作等に応じた操作表示ユニット３が機器本体２に対する相対的な位置となるように、後述のモータの回転方向やその回転数を制御してスライド移動させる。このように、操作表示ユニット３のスライド移動は、ＭＰＵ８からの命令に基づいて、駆動機構４の後述のモータの回転方向や回転数を制御することにより行われる。【００３７】
駆動機構４は、図６及び図７に示すように、フレームとしての一対（即ち複数）の可動アーム２１と、前記操作表示ユニット３の下端部３ｂに設けられた一対の被取付部としてのシャフト２２と、固定用ネジ２３と、弾性部材２４とを備えている。【００３８】
可動アーム２１は、一方向に沿って直線状に延びた帯状に形成されている。可動アーム２１は、その長手方向が前述した前面１０ａに対し直交（交差）する状態で機器本体２内に支持されている。可動アーム２１は、その長手方向に沿ってスライド自在に、機器本体２に支持されているとともに、機器本体２内に設けられた図示しない駆動源としてのモータにより前面１０ａに対して直交する方向にスライド移動されて、当該前面１０ａから凸没する。このために、可動アーム２１がスライド移動することで、特に当該可動アーム２１の操作表示ユニット３寄りの先端部２１ａ（支持部に相等する）が前面１０ａから凸没する。こうして、可動アーム２１は、モータにより移動されることで、操作表示ユニット３を機器本体２に対して移動させる。【００３９】
一対の可動アーム２１は、機器本体２の幅方向に沿って間隔をあけて配置されて、互いの間に操作表示ユニット３を挟んでいる。可動アーム２１は、その先端部２１ａにシャフト２２の後述する小径部２２ｂを通す丸孔２５を設けている。丸孔２５は、その内径がシャフト２２の小径部２２ｂの外径よりも若干大きく形成されて、その内側にシャフト２２の小径部２２ｂが通されている。可動アーム２１は、その先端部２１ａが操作表示ユニット３の下端部３ｂを回転自在に支持している。即ち、可動アーム２１は、モータにより前面１０ａから凸没するようにスライド移動されることで、操作表示ユニット３の下端部３ｂを前面１０ａから凸没する方向に移動させる。【００４０】
シャフト２２は、操作表示ユニット３の下端部３ｂから多機能電子機器１の幅方向の両方向に凸の円柱状凸部に形成されている。シャフト２２は、操作表示ユニット３の下端部３ｂから多機能電子機器１の幅方向に突出した大径部２２ａと、この大径部２２ａから突出した小径部２２ｂとを備えている。これらの大径部２２ａと小径部２２ｂとは、互いに同軸に配置されている。小径部２２ｂの端面２２ｃには、当該端面２２ｃから凹のねじ孔が設けられている。固定用ネジ２３は、可動アーム２１の丸孔２５内に通されたシャフト２２の端面２２ｃに開口したねじ孔内にねじ込まれて、その頭２３ａが前記シャフト２２の大径部２２ａとの間に可動アーム２１を位置付けて、可動アーム２１の先端部２１ａとシャフト２２即ち操作表示ユニット３の下端部３ｂとを回転自在に取り付ける。なお、図７中左側の固定用ネジ２３の頭２３ａとシャフト２２の大径部２２ａとの間隔Ｄ１は、可動アーム２１の厚みＴに対してクリアランスを設けて若干大きく形成されている。また、図７中右側の固定用ネジ２３の頭２３ａとシャフト２２の大径部２２ａとの間隔Ｄ２は、可動アーム２１の厚みＴよりも十分に大きく形成されている。【００４１】
弾性部材２４は、弾性を有する合成樹脂としてのシリコーンゴムで構成され、円筒状に形成されている。弾性部材２４の弾性変形していない中立状態での内径Ｃは、図６に示すように、シャフト２２の大径部２２ａの外径Ｏよりも小さく形成されている。また、弾性部材２４の弾性変形していない中立状態での長さＬ（図６に示す）は、固定用ネジ２３がシャフト２２の端面２２ｃのねじ孔にねじ込まれて操作表示ユニット３の下端部３ｂに取り付けられた図７中右側の片側の可動アーム２１と操作表示ユニット３の下端部３ｂとの間隔Ｄ３よりも十分に長く形成されている。【００４２】
弾性部材２４は、図７中右側のシャフト２２の大径部２２ａが内側に通されて、当該シャフト２２に取り付けられる。このとき、勿論、弾性部材２４は、内径を縮小させる弾性復元力を生じている。そして、弾性部材２４は、シャフト２２の小径部２２ｂが可動アーム２１の丸孔２５内に通されて当該シャフト２２の端面２２ｃのねじ孔に固定用ネジ２３がねじ込まれて、操作表示ユニット３の下端部３ｂが可動アーム２１の先端部２１ａに取り付けられると、操作表示ユニット３の筐体１８と図７中右側の片側の可動アーム２１とに挟まれて、全長が縮小するように弾性変形する。そして、弾性部材２４は、操作表示ユニット３の下端部３ｂと可動アーム２１との間に弾性変形した状態で設けられる。こうして、弾性部材２４は、操作表示ユニット３の下端部３ｂを、当該弾性部材２４が設けられていない側の可動アーム２１に向かって付勢して、当該弾性部材２４が設けられていない図７中左側の可動アーム２１とシャフト２２の大径部２２ａとを密着させるとともに、当該弾性部材２４が設けられた図７中右側の片側の可動アーム２１とシャフト２２の大径部２２ａとを互いに間隔をあけた状態に保つ。このように、弾性部材２４を片側の可動アーム２１と操作表示ユニット３の下端部３ｂとの間だけに設けることによって、操作表示ユニット３が、二つの可動アーム２１の間にガタ無く支持される。【００４３】
前述した構成の駆動機構４は、モータからの駆動力を受けて、各可動アーム２１が前面１０ａに対して直交する方向に沿って、機器本体２の内外方向に移動する。また、各可動アーム２１が機器本体２の内外方向に移動することで、操作表示ユニット３に設けられた後述するローラ１７がガイド溝１６に沿って摺動する。【００４４】
すなわち、モータからの駆動力を受けて各可動アーム２１が機器本体２の外方向に移動することにより操作表示ユニット３は、その表示パネル１９の表面が上方に向くようにして倒される。そして、操作表示ユニット３は、機器本体２の前面１０ａを開放する第３の位置又は第２の位置に移動される。また、可動アーム２１が機器本体２の内方向に移動することにより、倒された状態にある操作表示ユニット３は前面１０ａを覆う第１の位置に移動され、ローラ１７はガイド溝１６の上端部に位置付けられる。【００４５】
前述した操作表示ユニット３及び可動アーム２１は、モータからの駆動力により機器本体２に対し第１の位置と第２の位置とに亘って相対的に移動される。【００４６】
前述した構成の多機能電子機器１は、ＭＤ、ＣＤやＤＶＤ−ＲＯＭなどを機器本体２内に挿入する際には、操作表示ユニット３を図４に示す第３の位置又は図５に示す第２の位置に位置付ける。また、ＣＤやＤＶＤ−ＲＯＭなどを機器本体２内に挿入しかつ表示パネル１９で地図情報やテレビ放送波の映像を表示する際には、操作表示ユニット３を図４に示す第３の位置や、操作表示ユニット３を任意の向きに位置付ける。さらに、ＭＤ、ＣＤやＤＶＤ−ＲＯＭなどの再生を行う場合や、表示パネル１９で地図情報やテレビ放送波の映像を表示する際には、操作表示ユニット３を図３に示す第１の位置又は図４に示す第３の位置に位置付ける。【００４７】
また、多機能電子機器１は、前述した押しボタン２０を押圧することで、操作表示ユニット３を第１の位置と第２の位置との間で移動自在としており、これらの間の任意の位置に操作表示ユニット３を位置付けることが可能となっている。即ち、多機能電子機器１は、第１の位置と第２の位置との間で、操作表示ユニット３の角度を任意に変更可能としている。【００４８】
さらに、多機能電子機器１は、前述した第１の位置と第２の位置との間の任意の位置の操作表示ユニット３を、押しボタン２０が押圧されることで第１の位置又は第２の位置まで移動するようになっている。多機能電子機器１は、第２の位置で、ＭＤが挿入されたり、押しボタン２０が押圧されることで、操作表示ユニット３を第１の位置に向かって移動する。【００４９】
本実施例によれば、弾性を有する合成樹脂で構成された弾性部材２４を操作表示ユニット３の下端部３ｂと可動アーム２１との間に弾性変形した状態で設けているので、当該弾性部材２４の弾性変形による反発力により操作表示ユニット３を付勢することで、図７中左側の弾性部材２４が設けられていない側の可動アーム２１とシャフト２２の大径部２２ａとが密着して、操作表示ユニット３の下端部３ｂと可動アーム２１と間のガタが解消される。よって、多機能電子機器１は、機器本体２に対して操作表示ユニット３を移動させる際に、振動して異音を生じることを防止することができる。【００５０】
また、シャフト２２の外径よりも内径が小さな円筒状に弾性部材２４を形成して、当該弾性部材２４の内側にシャフト２２を挿入して、取り付けるようにしている。このために、内径が縮小する弾性復元力を生じた状態で当該弾性部材２４が前述したシャフト２２に取り付けられるので、組み立て中に前述したシャフト２２に取り付けた弾性部材２４が不意に脱落することを防止できる。よって、組み立ての際に部品の脱落などを防止して組み立て上の作業性を良好に保つことができる。【００５１】
また、操作表示ユニット３の下端部３ｂと可動アーム２１との間隔Ｄ３よりも長く形成しているので、弾性部材２４を操作表示ユニット３の下端部３ｂと可動アーム２１との間に確実に弾性変形した状態で設けることができる。よって、機器本体２に対して操作表示ユニット３を移動させる際に、ガタを解消することで、振動して異音を生じることを防止することができる。【００５２】
また、可動アーム２１を一対設け、片側の可動アーム２１と操作表示ユニット３との間に弾性部材２４を設けているために、弾性部材２４を二つ設ける必要が無いので、部品点数が増加することを防止できる。さらに、弾性部材２４をシリコーンゴムで構成している。このために、温度が変化しても、他の合成樹脂を用いる場合よりも弾性部材２４が弾性を維持することができる。【００５３】
次に、本発明の発明者らは、本発明の弾性部材２４をシリコーンゴムで構成することの効果を確認した。結果を図８に示す。図８では、図中に実線で示す本発明品としてのシリコーンゴムで構成した弾性部材２４と、図中に二点鎖線で示す比較例１としてのクロロピレンゴムで構成した弾性部材と、図中に一点鎖線で示す比較例２としてのニトリルゴムで構成した弾性部材と、をＪＩＳ（日本工業規格）Ｋ６２６１で規定される試験方法により得た低温特性を示している。この図８の結果によると、比較例１及び２は、気温−４０℃で弾性を保つことができないことが明らかとなり、本発明品では、気温−６０℃〜−７０℃でも弾性を保つことが明らかとなった。このため、本発明品は、他のゴムで構成さあれた場合よりも耐環境性に優れ、特に、自動車に搭載される電子機器に用いられるには好適であることが明らかとなった。【００５４】
前述した実施例では、可動部として操作表示ユニット３を示しているが、本発明では、可動部として操作表示ユニット３以外のものを用いても良い。【００５５】
また、前述した実施例では、弾性部材２４をシリコーンゴムで構成したが、本発明では、弾性部材２４をシリコーンゴムに限らず種々のゴムで構成してもよい。更に、本発明では、弾性部材２４を可動アーム２１それぞれと操作表示ユニット３の下端部３ｂとの間即ち弾性部材２４を一対設けてもよい。【００５６】
さらに、本発明では、可動アーム２１の先端部２１ａにシャフト２２を設け、操作表示ユニット３にシャフト２２の大径部２２ａを通す丸孔２５を設けてもよい。【００５７】
また、前述した実施例では、下端部３ｂを前面１０ａから突没させ、上端部３ａを前面１０ａに沿って操作表示ユニット３をスライド移動させたが、本発明では、下端部３ｂに限らず操作表示ユニット３の任意の端部を突没させるように、操作表示ユニット３をスライド移動させても良い。【００５８】
前述した実施例によれば、以下の多機能電子機器１が得られる。
（付記）  機器本体２と、
前記機器本体２に対して移動自在に設けられた操作表示ユニット３と、
前記操作表示ユニット３を互いの間に挟む状態で支持しかつ駆動源により移動されることで前記操作表示ユニット３を前記機器本体２に対して移動させる複数の可動アーム２１と、前記操作表示ユニット３の下端部３ｂと前記可動アーム２１との間に弾性変形した状態で設けられた弾性部材２４とを有して、前記操作表示ユニット３を前記機器本体２に対して移動させる駆動機構４と、を備えた多機能電子機器１において、
前記操作表示ユニット３の前記シャフト２２と前記可動アーム２１の前記操作表示ユニット３を支持する先端部２１ａとのうちの前記シャフト２２が円柱状凸部に形成され、かつ、
前記弾性部材２４が、弾性を有する合成樹脂で構成されかつ前記円柱状凸部の外径よりも小さい内径を備えた円筒状に形成されているとともに内側に前記円柱状凸部を挿入した状態で取り付けられていることを特徴とする多機能電子機器１。【００５９】
付記によれば、弾性部材２４を弾性を有する合成樹脂で構成した弾性部材２４を操作表示ユニット３の下端部３ｂと可動アーム２１との間に弾性変形した状態で設けているので、当該弾性部材２４の弾性変形による反発力により操作表示ユニット３を付勢することで操作表示ユニット３の可動アーム２１に支持される下端部３ｂと可動アーム２１と間のガタが解消される。こうすることで、多機能電子機器１は、機器本体２に対して操作表示ユニット３を移動させる際に、振動して異音を生じることを防止することができる。【００６０】
また、シャフト２２の外径よりも内径が小さな円筒状に弾性部材２４を形成して、当該弾性部材２４の内側にシャフト２２を挿入して、取り付けるようにしている。このために、内径が縮小する弾性復元力を生じた状態で当該弾性部材２４が前述したシャフト２２に取り付けられるので、組み立て中に前述したシャフト２２に取り付けた弾性部材２４が不意に脱落することを防止できる。よって、組み立ての際に部品の脱落などを防止して組み立て上の作業性を良好に保つことができる。
【符号の説明】
【００６１】
１  多機能電子機器（電子機器）
２  機器本体
３  操作表示ユニット（可動部）
３ｂ  下端部（可動部のフレームに支持される部分）
４  駆動機構（駆動部）
２１  可動アーム（フレーム）
２１ａ  先端部（支持部）
２２  シャフト（被取付部、円柱状凸部）
２４  弾性部材
Ｃ  内径
Ｏ  外径
Ｌ  長さ
Ｄ３  間隔
【図１】
2011101971.tif 000003
【図２】
2011101971.tif 000004
【図３】
2011101971.tif 000005
【図４】
2011101971.tif 000006
【図５】
2011101971.tif 000007
【図６】
2011101971.tif 000008
【図７】
2011101971.tif 000009
【図８】
2011101971.tif 000010
【国際調査報告】
2011101971.tif 000011
2011101971.tif 000012